(57)【要約】      （修正有）【課題】吊支媒体の交換作業時において作業員の危険を回避できる吊支媒体設置システムを提供する。【解決手段】赤外線リモートコントロール送信手段２０より照射される赤外線の制御信号を受光する赤外線受光部４０と、吊支媒体を吊支しながら上下方向に可動させる吊支媒体可動部６０と、赤外線受光部が受光するコマンドを解析するとともに、、スイッチ手段８０が出力するスイッチ開閉信号を判別して吊支媒体可動部を可動あるいは停止させる指令信号を送信する吊支媒体可動部用制御手段５０と、吊支媒体可動部の作動時に吊支媒体の上昇、下降のいずれかの動作を停止させる停止信号を吊支媒体可動部用制御手段に出力するスイッチ手段とを備えている。【選択図】図９
0003110591.tif 000002
【実用新案登録請求の範囲】
【請求項１】
赤外線リモートコントロール送信手段を備えた吊支媒体設置システムにおいて、
赤外線リモートコントロール送信手段より照射される赤外線の制御信号を受光する赤外線受光部と、
吊支媒体を吊支しながら上下方向に可動させる吊支媒体可動部と、
赤外線受光部が受光するコマンド信号を解析するとともに、スイッチ手段が出力するスイッチ開閉信号を判別して吊支媒体可動部を可動あるいは停止させる指令信号を送信する吊支媒体可動部用制御手段と、
吊支媒体可動部の作動時に吊支媒体の上昇、下降のいずれかの動作を停止させる停止信号を吊支媒体可動部用制御手段に出力するスイッチ手段とを備えなる吊支媒体設置システム。
【考案の詳細な説明】
【技術分野】
【０００１】  本考案は、広告バナー、ポスターボード、ディスプレイ、商品等（以下、本明細書中において「吊支媒体」という。）を吊支する吊支媒体設置システムに関するものであり、例えば、高所にて略水平な状態で吊支媒体を設置するため、操作者が地上より赤外線リモートコントロール送信装置を用いて赤外線信号をシステムの受光部に照射して吊支媒体を可動させながら所望の位置に設置する吊支媒体設置システムに関するものである。
【背景技術】
【０００２】  最近、インジェクトプリンタが急速に普及してきたことにともない、ビニール、ターポリング等の生地にインジェクトプリンタを用いて印刷し見ばえのする大型（面積の大きい）の広告バナー、ポスターボード等の広告媒体が簡単に作れるようになってきており、展示場、見本市等のイベント会場でも天井付近から掲示する比較的大きい広告媒体が増えてきている。【０００３】  イベント会場では、現在この種の広告媒体の左右上部を天井の梁から垂下させたワイヤーで吊支し、交換時は作業員が梯子で昇りワイヤーを外して交換作業を行なっており、高所（１０〜１５ｍ）の場合には危険であるため専門業者に依頼し交換を行なっている実情にある。
【特許文献】  特開２００１−１５４６２３公報
【考案の開示】
【考案が解決しようとする課題】
【０００４】  従って本考案の目的は、吊支媒体の交換を簡便に行なえる吊支媒体設置システムを提供することにある。【０００５】  本考案の他の目的は、吊支媒体の交換作業時において作業員の危険を回避できる吊支媒体設置システムを提供することにある。【０００６】  本考案のもう一つ他の目的は、吊支媒体が比較的巾のある大型の吊支媒体であっても、作業員が水平方向のバランスを目視にて確認しながら所望の位置（高さ）に簡単に設置できる吊支媒体設置システムを提供することにある。
【課題を解決するための手段】
【０００７】  本考案に係る吊支媒体設置システムは、赤外線リモートコントロール送信手段を備えた吊支媒体設置システムにおいて、赤外線リモートコントロール送信手段より照射される赤外線の制御信号を受光する赤外線受光部と、吊支媒体を吊支しながら上下方向に可動させる吊支媒体可動部と、赤外線受光部が受光するコマンドを解析するとともに、、スイッチ手段が出力するスイッチ開閉信号を判別して吊支媒体可動部を可動あるいは停止させる指令信号を送信する吊支媒体可動部用制御手段と、吊支媒体可動部の作動時に吊支媒体の上昇、下降のいずれかの動作を停止させる停止信号を吊支媒体可動部用制御手段に出力するスイッチ手段とを備え、吊支媒体可動部を上昇・下降させながら地上において略水平に保持する。
【考案の効果】
【０００８】  本考案によれば、次の効果を奏する。
（１）吊支媒体の交換を簡便に行なえる吊支媒体設置システムが得られる。
（２）吊支媒体の交換作業時において作業員の危険を回避できる吊支媒体設置システムが得られる。
（３）吊支媒体が比較的巾のある大型の吊支媒体であっても、作業員が水平方向のバランスを目視にて確認しながら所望の位置（高さ）に簡単に設置できる吊支媒体設置システムが得られる。
【考案を実施するための最良の形態】
【０００９】  吊支媒体設置システムは、赤外線リモートコントロール送信手段より照射される赤外線の制御信号を受光する赤外線受光部と、吊支媒体を吊支しながら上下方向に可動させる吊支媒体可動部と、赤外線受光部が受光するコマンド信号を解析するとともに、スイッチ手段が出力するスイッチ開閉信号を判別して吊支媒体可動部を可動あるいは停止させる指令信号を送信する吊支媒体可動部用制御手段と、吊支媒体可動部の作動時に吊支媒体の上昇、下降のいずれかの動作を停止させる停止信号を吊支媒体可動部用制御手段に出力するスイッチ手段とを備えている。
【実施例】
【００１０】  図１は、本考案に係る吊支媒体設置システムの構成概略を示すブロック図、
図２は、吊支媒体設置システムを構成している吊支媒体設置装置の要部を示す斜視略図、
図９は、吊支媒体設置装置の構成を示すブロック図である。【００１１】  これらの図において、吊支媒体設置システム１は、４機の吊支媒体設置装置１１，１２，１３，１４を備えた吊支媒体設置装置群１０と、赤外線リモートコントロール送信手段２０とから構成される。【００１２】各吊支媒体設置装置１１，１２，１３，１４は、赤外線受光部４０と、吊支媒体可動部用制御手段５０と、吊支媒体可動部６０と、スイッチ手段８０を備え、吊支媒体９０を吊支する（図９）。【００１３】  このうち、前記赤外線受光部４０は、赤外線リモートコントロール送信手段（赤外線リモコン）２０より照射される赤外線制御信号を受光する。【００１４】  前記吊支媒体可動部用制御手段５０は、赤外線受光部が受光するコマンド（チャンネル設定信号、上昇指示信号、下降指示信号）を解析するとともに、前記スイッチ手段８０が出力するスイッチ開閉信号を判別して前記吊支媒体可動部６０を構成するモータ６１を駆動あるいは停止させる指令信号（モータ制御信号）を送信する。【００１５】  このため、前記吊支媒体可動部用制御手段５０は、ＲＯＭ５１と、ＲＡＭ５２と、信号処理部５３を具備している。
ＲＯＭ５１は、信号処理部５３の動作手順を規定するプログラムを記憶している。
ＲＡＭ５２は、信号処理部５３によって処理されるデータ（信号）を記憶する。
信号処理部５３は、ＲＯＭ５１に格納された処理プログラムにしたがって信号処理を実行する。【００１６】  前記チャンネル判別部５４は、前記チャンネル設定部２１が設定したチャンネルＡ，Ｂ，Ｃ，Ｄを判別する。【００１７】  前記リモコン信号判別部５５は、前記リモコン操作部２５のタッチパネル２７，２８を操作したときに上昇（ＵＰ）信号か、下降（ＤＯＷＮ）信号かのいずれのリモコン信号であるかを判別する。【００１８】  前記リモコン信号判別部５５が上昇信号か下降信号かを判別すると、前記指令信号出力部５６は、前記吊支媒体可動部６０にモータ駆動信号である上昇、下降のいずれかの信号を送信する。【００１９】  前記スイッチ開閉信号判別部５７は、前記スイッチ手段８０のスイッチの開閉を判別し、閉信号を受信すると前記吊支媒体可動部６０を構成するモータの上昇回転または下向回転を停止させる停止信号を指令信号出力部５６より前記吊支媒体可動部６０に送信する。【００２０】  前記吊支媒体可動部６０は、吊支媒体９０を吊支しながら吊支媒体９０を上下方向に可動させる。このため、ブレークモータ６１、変速ギヤ６２、リール機構７０を具備している。【００２１】  前記リール機構７０は、前記駆動モータ６１により稼働する巻上げリール７１と、巻上げリール７１に巻装され、その先端部がフック７８に掛け止めされたワイヤ７２と、前記巻き上げリール７１に巻装されたワイヤ７２を張架状態におく張架手段７４を備えている。ワイヤ７２は、吊支媒体９０を保持するステイ７９の上方に配設されたガイド７５を構成する一対の立設パイプ７６Ａ，７６Ｂに挿通され、さらに、前記立設パイプ７６Ａ，７６Ｂの下部に設けた左右一対の滑車７７Ａ，７７Ｂを介して案内され、前記ステイ７９の上方において連架されている（図２参照）。前記ステイ７９は吊支媒体９０を保持するとともに、おもりとバランサとしての役目も果たす。【００２２】  前記張架手段７４は、第１のシャフト７４Ａと、第２のシャフト７４Ｂと、Ｌ字状部材７４Ｃと、前記モータ６１がストップし前記ワイヤ７２荷重がかかっていないときに前記第２のシャフト７４Ｂとの間でワイヤ７２を挟持する挟持板７４Ｄと、スプリング７３により常時図５のＸ方向に引っ張られワイヤ７２に荷重がかかっていないときに前記第３のリミットスイッチ８３に衝接している押棒７４Ｅとから構成されている。かくして、図６の状態は前記モータ６１がストップし前記ワイヤ７２に荷重がかかっていない状態にあるが、スプリング７３の引張力でワイヤ７２を挟み、ワイヤ７２の緩みや絡みを防止できる。また、図７の状態は前記ワイヤ７２に荷重がかかっている状態にあるが、前記ワイヤ７２が図７の右方向に引っ張られて第２のシャフト７４Ｂは右方向に移動し、第３のリミットスイッチ８３を解除し前記モータ６１は作動可能状態になる。【００２３】  前記スイッチ手段８０は、吊支媒体９０の上昇を停止させるための左右一対のリミットスイッチ（第１のリミットスイッチ８１と第２のリミットスイッチ８２；図２，図８，図９参照）と、吊支媒体９０の下降を停止させるための第３のリミットスイッチ８３（図５参照）より構成され、前記吊支媒体可動部６０の作動時に吊支媒体９０の上昇、下��の動作を停止させる停止信号を前記吊支媒体可動部用制御手段５０に出力する。
すなわち、吊支媒体９０が最上位にあり前記パイプ７６Ａ，７６Ｂの先端が前記第１のリミットスイッチ８１、第２のリミットスイッチ８２に衝接し、前記第１のリミットスイッチ８１、第２のリミットスイッチ８２のいずれもがスイッチ閉信号を前記スイッチ開閉信号判別部５７に送出すると前記吊支媒体可動部６０が作動を停止し吊支媒体９０の上昇が阻止される。したがって、仮に、吊支媒体９０の常称寺に左右のバランスがとれないまま上昇しても、第１のリミットスイッチ８１と第２のリミットスイッチ８２がＯＦＦになったときにはじめて上昇が停止するので、吊支媒体９０は左右のバランスが取れた常態で吊支される。また、吊支媒体９０が床につき最下位にあるとき、あるいは吊支媒体９０が下がり作業員が前記ステイ７９を掴んで吊支媒体９０を交換するとき等ワイワ７２の一端側が緩むときには、前記リール機構７０を構成する押棒７４Ｅが前記第３のリミットスイッチ８３に衝接し、前記第３のリミットスイッチ８３がスイッチ閉信号を前記スイッチ開閉信号判別部５７に送出すると前記吊支媒体可動部６０が作動を停止し吊支媒体９０の下降が阻止される。【００２４】  前記赤外線リモコン２０は、チャンネル設定部２１とリモコン操作部２５を備えている。
前記チャンネル設定部２１は、デジタルスイッチ（Ｓ／Ｗ）により構成され、吊支媒体設置装置１１，１２，１３，１４に対応するチャンネルＡ，Ｂ，Ｃ，Ｄを設定するチャンネル設定信号を前記赤外線受光部４０に出力する。
前記リモコン操作部２５は、タッチパネル２７，２８を操作することにより上昇指示信号、または下降指示信号を前記赤外線受光部４０に出力する。【００２５】  図１２，図１３は、図２，図９に示す吊支媒体設置システムの処理動作を示し、図１２は吊支媒体が上昇するときの、図１３は吊支媒体が下降りするときのフローチャートである。
次に、このフローチャートに沿って、吊支媒体設置システム処理動作について、具体的に説明する。【００２６】  （上昇時）
今、赤外線リモコン２０のチャンネル設定部２１を操作してチャンネルＡを選定し（Ｓ１０）、さらに、リモコン操作部２５のＵＰスイッチを選定し（Ｓ１１）、赤外線受光部４０がチャンネルＡの設定信号、および上昇指示信号を受信すると（Ｓ１２）、前記吊支媒体可動部用制御手段５０は、選定されたチャンネルがＡ，Ｂ，Ｃ，ＤのチャンネルＡであること、リモコン操作部からの信号がＵＰ信号であることを解析（判別）し、チャンネルが適正であり（Ｓ１３）かつＵＰ信号であること（Ｓ１４）が確認されると、吊支媒体可動部６０を作動させる指令信号を出力し（Ｓ１５）、吊支媒体可動部６０が作動し（Ｓ１６）し吊支媒体９０は上昇する。この状態で、リモコン操作部２５のＵＰスイッチの操作が中止されＵＰ信号がＯＦＦになると（Ｓ１７）、吊支手段９０の上昇は停止する（Ｓ１８）。また、吊支手段９０が上昇し前記パイプ７６Ａ，７６Ｂの先端が前記第１のリミットスイッチ８１、第２のリミットスイッチ８２に衝接し、前記第１のリミットスイッチ８１、第２のリミットスイッチ８２のいずれもがスイッチ閉信号を前記スイッチ開閉信号判別部５７に送出すると前記吊支媒体可動部６０が作動を停止し吊支媒体９０の上昇が阻止される（Ｓ１９）。【００２７】  （下降時）
赤外線リモコン２０のチャンネル設定部２１を操作してチャンネルＡを選定し（Ｓ３０）、さらに、リモコン操作部２５のＤＯＷＮスイッチを選定し（Ｓ３１）、赤外線受光部４０がチャンネルＡの設定信号、および下降指示信号を受信すると（Ｓ３２）、前記吊支媒体可動部用制御手段５０は、選定されたチャンネルがＡ，Ｂ，Ｃ，ＤのチャンネルＡであること、リモコン操作部からの信号がＤＯＷＮ信号であることを解析（判別）し、チャンネルが適正であり（Ｓ３３）かつＤＯＷＮ信号であること（Ｓ３４）が確認されると、吊支媒体可動部６０を作動させる指令信号を出力し（Ｓ３５）、吊支媒体可動部６０が作動し（Ｓ３６）し吊支媒体９０は下降する。この状態で、リモコン操作部２５のＤＯＷＮスイッチの操作が中止されＤＯＷＮ信号がＯＦＦになると（Ｓ３７）、吊支手段９０の下降は停止する（Ｓ３８）。また、吊支手段９０が下降し前記押棒７４Ｅに前記第３のリミットスイッチ８３に衝接し、前記第３のリミットスイッチ８３がスイッチ閉信号を前記スイッチ開閉信号判別部５７に送出すると前記吊支媒体可動部６０が作動を停止し吊支媒体９０の下降が阻止される（Ｓ３９）。
【図面の簡単な説明】
【００２８】
【図１】  本考案に係る吊支媒体設置システムの構成概略を示すブロック図である。
【図２】  吊支媒体設置システムを構成している吊支媒体設置装置の要部を示す斜視略図である。
【図３】  吊支媒体設置装置の要部を示す正面略図である。
【図４】  吊支媒体設置装置の要部を示す左側面略図である。
【図５】  吊支媒体設置装置のリール機構の要部を示す斜視略図である。
【図６】  リール機構の要部を示し、ワイヤに荷重がかかっていない状態の側面略図である。
【図７】  リール機構の要部を示し、ワイヤに荷重がかかっている状態の側面略図である。
【図８】  吊支媒体設置装置の構成を示すブロック図である。
【図９】  吊支媒体設置装置の構成を示すブロック図である。
【図１０】  リモコ信号判別部の構成を示すブロック図である。
【図１１】  指令信号出力部の構成を示すブロック図である。
【図１２】  吊支媒体上昇時のフローチャートである。
【図１３】  吊支媒体下降時のフローチャートである。
【符号の説明】
【００２９】１        吊支媒体設置システム
１０      吊支媒体設置装置群
１１      吊支媒体設置装置
１２      吊支媒体設置装置
１３      吊支媒体設置装置
１４      吊支媒体設置装置
２０      赤外線リモコン
２１      リモコン操作部
２２      チャンネル設定部
４０      赤外線受光部
５０      吊支媒体可動部用制御手段
５１      ＲＯＭ
５２      ＲＡＭ
５３      信号処理部
５４      チャンネル判別部
５５      リモコン信号判別部
５６      指令信号出力部
５７      スイッチ開閉信号判別部
６０      吊支媒体可動部
７０      リール機構
８０      スイッチ手段
９０      吊支媒体
【図１】
0003110591.tif 000003
【図２】
0003110591.tif 000004
【図３】
0003110591.tif 000005
【図４】
0003110591.tif 000006
【図５】
0003110591.tif 000007
【図６】
0003110591.tif 000008
【図７】
0003110591.tif 000009
【図８】
0003110591.tif 000010
【図９】
0003110591.tif 000011
【図１０】
0003110591.tif 000012
【図１１】
0003110591.tif 000013
【図１２】
0003110591.tif 000014
【図１３】
0003110591.tif 000015
【手続補正書】
【提出日】平成17年1月31日(2005.1.31)
【手続補正１】
【補正対象書類名】実用新案登録請求の範囲
【補正対象項目名】請求項１
【補正方法】変更
【補正の内容】
【請求項１】
赤外線リモートコントロール送信手段を備えた吊支媒体設置システムにおいて、
赤外線リモートコントロール送信手段より照射される赤外線のコマンドを受光する赤外線受光部と、
吊支媒体を吊支しながら上下方向に可動させる吊支媒体可動部と、
赤外線受光部が受光するコマンドを解析するとともに、スイッチ手段が出力するスイッチ開閉信号を判別して吊支媒体可動部を可動あるいは停止させる指令信号を送信する吊支媒体可動部用制御手段と、
吊支媒体可動部の作動時に吊支媒体の上昇、下降のいずれかの動作を停止させる停止信号を吊支媒体可動部用制御手段に出力するスイッチ手段とを備えなる吊支媒体設置システム。
【手続補正２】
【補正対象書類名】明細書
【補正対象項目名】０００７
【補正方法】変更
【補正の内容】
【０００７】  本考案に係る吊支媒体設置システムは、赤外線リモートコントロール送信手段を備えた吊支媒体設置システムにおいて、赤外線リモートコントロール送信手段より照射される赤外線のコマンドを受光する赤外線受光部と、吊支媒体を吊支しながら上下方向に可動させる吊支媒体可動部と、赤外線受光部が受光するコマンドを解析するとともに、スイッチ手段が出力するスイッチ開閉信号を判別して吊支媒体可動部を可動あるいは停止させる指令信号を送信する吊支媒体可動部用制御手段と、吊支媒体可動部の作動時に吊支媒体の上昇、下降のいずれかの動作を停止させる停止信号を吊支媒体可動部用制御手段に出力するスイッチ手段とを備え、吊支媒体可動部を上昇・下降させながら地上において略水平に保持する。
【手続補正３】
【補正対象書類名】明細書
【補正対象項目名】０００９
【補正方法】変更
【補正の内容】
【０００９】  吊支媒体設置システムは、赤外線リモートコントロール送信手段より照射される赤外線のコマンドを受光する赤外線受光部と、吊支媒体を吊支しながら上下方向に可動させる吊支媒体可動部と、赤外線受光部が受光するコマンドを解析するとともに、スイッチ手段が出力するスイッチ開閉信号を判別して吊支媒体可動部を可動あるいは停止させる指令信号を送信する吊支媒体可動部用制御手段と、吊支媒体可動部の作動時に吊支媒体の上昇、下降のいずれかの動作を停止させる停止信号を吊支媒体可動部用制御手段に出力するスイッチ手段とを備えている。
【手続補正４】
【補正対象書類名】明細書
【補正対象項目名】００２０
【補正方法】変更
【補正の内容】
【００２０】  前記吊支媒体可動部６０は、吊支媒体９０を吊支しながら吊支媒体９０を上下方向に可動させる。このため、ブレーキモータ６１、変速ギヤ６２、リール機構７０を具備している。
【手続補正５】
【補正対象書類名】明細書
【補正対象項目名】００２３
【補正方法】変更
【補正の内容】
【００２３】  前記スイッチ手段８０は、吊支媒体９０の上昇を停止させるための左右一対のリミットスイッチ（第１のリミットスイッチ８１と第２のリミットスイッチ８２；図２，図８，図９参照）と、吊支媒体９０の下降を停止させるための第３のリミットスイッチ８３（図５参照）より構成され、前記吊支媒体可動部６０の作動時に吊支媒体９０の上昇、下降の動作を停止させる停止信号を前記吊支媒体可動部用制御手段５０に出力する。
すなわち、吊支媒体９０が最上位にあり前記パイプ７６Ａ，７６Ｂの先端が前記第１のリミットスイッチ８１、第２のリミットスイッチ８２に衝接し、前記第１のリミットスイッチ８１、第２のリミットスイッチ８２のいずれもがスイッチ閉信号を前記スイッチ開閉信号判別部５７に送出すると前記吊支媒体可動部６０が作動を停止し吊支媒体９０の上昇が阻止される。したがって、仮に、吊支媒体９０の上昇時に左右のバランスがとれないまま上昇しても、第１のリミットスイッチ８１と第２のリミットスイッチ８２がＯＦＦになったときにはじめて上昇が停止するので、吊支媒体９０は左右のバランスが取れた状態で吊支される。また、吊支媒体９０が床につき最下位にあるとき、あるいは吊支媒体９０が下がり作業員が前記ステイ７９を掴んで吊支媒体９０を交換するとき等ワイワ７２の一端側が緩むときには、前記リール機構７０を構成する押棒７４Ｅが前記第３のリミットスイッチ８３に衝接し、前記第３のリミットスイッチ８３がスイッチ閉信号を前記スイッチ開閉信号判別部５７に送出すると前記吊支媒体可動部６０が作動を停止し吊支媒体９０の下降が阻止される。
【手続補正６】
【補正対象書類名】明細書
【補正対象項目名】００２６
【補正方法】変更
【補正の内容】
【００２６】  （上昇時）
今、赤外線リモコン２０のチャンネル設定部２１を操作してチャンネルＡを選定し（Ｓ１０）、さらに、リモコン操作部２５のＵＰスイッチを選定し（Ｓ１１）、赤外線受光部４０がチャンネルＡの設定信号、および上昇指示信号を受信すると（Ｓ１２）、前記吊支媒体可動部用制御手段５０は、選定されたチャンネルがＡ，Ｂ，Ｃ，ＤのチャンネルＡであること、リモコン操作部からの信号がＵＰ信号であることを解析（判別）し、チャンネルが適正であり（Ｓ１３）かつＵＰ信号であること（Ｓ１４）が確認されると、吊支媒体可動部６０を作動させる指令信号を出力し（Ｓ１５）、吊支媒体可動部６０が作動し（Ｓ１６）吊支媒体９０は上昇する。この状態で、リモコン操作部２５のＵＰスイッチの操作が中止されＵＰ信号がＯＦＦになると（Ｓ１７）、吊支手段９０の上昇は停止する（Ｓ１８）。また、吊支手段９０が上昇し前記パイプ７６Ａ，７６Ｂの先端が前記第１のリミットスイッチ８１、第２のリミットスイッチ８２に衝接し、前記第１のリミットスイッチ８１、第２のリミットスイッチ８２のいずれもがスイッチ閉信号を前記スイッチ開閉信号判別部５７に送出すると前記吊支媒体可動部６０が作動を停止し吊支媒体９０の上昇が阻止される（Ｓ１９）。
【手続補正７】
【補正対象書類名】明細書
【補正対象項目名】００２７
【補正方法】変更
【補正の内容】
【００２７】  （下降時）
赤外線リモコン２０のチャンネル設定部２１を操作してチャンネルＡを選定し（Ｓ３０）、さらに、リモコン操作部２５のＤＯＷＮスイッチを選定し（Ｓ３１）、赤外線受光部４０がチャンネルＡの設定信号、および下降指示信号を受信すると（Ｓ３２）、前記吊支媒体可動部用制御手段５０は、選定されたチャンネルがＡ，Ｂ，Ｃ，ＤのチャンネルＡであること、リモコン操作部からの信号がＤＯＷＮ信号であることを解析（判別）し、チャンネルが適正であり（Ｓ３３）かつＤＯＷＮ信号であること（Ｓ３４）が確認されると、吊支媒体可動部６０を作動させる指令信号を出力し（Ｓ３５）、吊支媒体可動部６０が作動し（Ｓ３６）吊支媒体９０は下降する。この状態で、リモコン操作部２５のＤＯＷＮスイッチの操作が中止されＤＯＷＮ信号がＯＦＦになると（Ｓ３７）、吊支手段９０の下降は停止する（Ｓ３８）。また、吊支手段９０が下降し前記押棒７４Ｅに前記第３のリミットスイッチ８３に衝接し、前記第３のリミットスイッチ８３がスイッチ閉信号を前記スイッチ開閉信号判別部５７に送出すると前記吊支媒体可動部６０が作動を停止し吊支媒体９０の下降が阻止される（Ｓ３９）。